(57)【要約】【課題】簡単な調整操作で広範囲に監視領域が設定でき、また設置時にも住宅環境を損なわない炎感知器を提供する。【解決手段】炎感知器Ａは、集光レンズ１ａを前面に設けた感知素子ブロック１を、ベース部２に各々が独立して移動可能に複数個設けた構造になっている。【選択図】図１
2004117113.tif 000002
【特許請求の範囲】
【請求項１】
集光レンズを前面に設けた感知素子ブロックを、ベース部に各々が独立して移動可能に複数個設けたことを特徴とする炎感知器。
【請求項２】
請求項１において、
上記感知素子ブロックは、上、下に移動調節可能にしていることを特徴とする炎感知器。
【請求項３】
請求項１において、
上記感知素子ブロックは、左、右に移動調節可能にしていることを特徴とする炎感知器。
【請求項４】
請求項１において、
側面に設けた調整ツマミを回動操作することによって、上記感知素子ブロックを上、下あるいは左、右のいずれかの方向に移動調節に設定する感知エリア調整機構を備えていることを特徴とする炎感知器。
【請求項５】
請求項４において、
上記感知器エリア調整機構は、
複数の操作突起を突出させた調整ツマミと、
その側面に、上記調整ツマミの操作突起を嵌入させる送り溝部を形成し、かつその反対側面には、上記ベース側に形成された対応したガイド溝に係入支持される小突片を形成した感知素子ブロックとを組み合わせて構成されている炎感知器。
【請求項６】
請求項１〜５のいずれかにおいて、
上記ベース部は、壁面より露見させる化粧板に、壁内に埋設する内部ボックスを備えた構造にしている炎感知器。
【請求項７】
請求項１〜５のいずれかにおいて、
上記集合レンズは、多面形状に形成されている炎感知器。
【発明の詳細な説明】
【０００１】
【発明の属する技術分野】
本発明は、炎感知器の改良に関する。
【０００２】
【従来の技術】
この種の炎感知器は、下記特許文献にも開示されているように公知であり、配線接続用、確認灯回路のベースと、感知信号処理回路等のヘッドとを組み合わせて構成されており、感知素子と集光レンズによって形成された監視領域内で炎を感知すると、ヘッドの内部回路処理を経て確認灯が点灯し、ベースの配線を経由し受信機へ火災信号を伝達する。
このような感知器は、天井面に直付けされたり、壁面取付け金具により壁面に取り付け使用され、後者のものでは、感知器は首振り、回転ができる機構になり、炎感知器の監視領域を調整することができる。
【０００３】
【特許文献１】
特開平５−１５９１７７号
しかしながら、壁面に取り付けた場合にも、感知素子には視野角があるためスポット的にしか監視領域が形成されず、監視領域の設定も困難なために、現在では天井取付けが主流となっている。
【０００４】
図６は、天井に直付けする使用例を示している。このような使用例では、たとえば感知器１００を１階と２階の階段室に設置すると、監視領域がスポット型に形成されるために階段室のみが感知領域となり、昇降階段を監視領域にできず、昇降階段を監視領域とすると、階段室が監視領域より外れてしまう。
そのため、感知素子が１つ又は複数あったとしても監視領域が一定の視野角を持ったスポット型に形成されるため、一つの感知器で階段室と昇降階段を監視領域にできない。
【０００５】
図７は、取付け金具を用いて壁面に取り付ける使用例を示している。このような使用例では、感知器１００は、取り付け金具１０１によって首振り可能なため、監視領域を種々設定できる。
図において、パターンＡは、昇り階段を監視領域とした場合、パターンＢは、降り階段を監視領域にした場合、パターンＣは、階段室を監視領域にした場合を示している。
【０００６】
しかしながら、この場合も、監視領域が一定の視野角θａ〜θｃを持ったスポット型に形成される為、昇降階段と階段室を同時に監視領域にはできず、両方を監視するためには、２台の感知器を取り付け金具を用いて壁面に取付ける必要があるが、取り付け金具を使用することにより建物の美観を損ねるという問題があった。
【０００７】
【発明が解決しようとする課題】
本発明は、上記事情に鑑みて提案されるもので、第１の目的は、一台の感知器で複数範囲の監視領域が設定でき、また、監視領域の調整が容易な炎感知器を提供することを目的とする。
【０００８】
また、第２の目的は、監視領域の調整が容易にでき、設置した場合にも、住宅の美観を損ねることのない炎感知器を提供することにある。
【０００９】
【課題を解決するための手段】
上記目的を達成する為に提案される本発明の請求項１の炎感知器は、集光レンズを前面に設けた感知素子ブロックを、ベース部に各々が独立して移動可能に複数個設けたことを特徴とする。
【００１０】
請求項２の炎感知器は、感知素子ブロックは、上、下に移動調節可能にしていることを特徴とする。
【００１１】
請求項３の炎感知器は、感知素子ブロックは、左、右に移動調節可能にしていることを特徴とする。
【００１２】
請求項４の炎感知器は、側面に設けた調整ツマミを回動操作することによって、上記感知素子ブロックを上、下あるいは左、右のいずれかの方向に移動調節に設定する感知エリア調整機構を備えていることを特徴とする。
【００１３】
請求項５の炎感知器は、感知器エリア調整機構は、複数の操作突起を突出させた調整ツマミと、その側面に、上記調整ツマミの操作突起を嵌入させる送り溝部を形成し、かつその反対側面には、上記ベース側に形成された対応したガイド溝に係入支持される小突片を形成した感知素子ブロックとを組み合わせて構成されている。
【００１４】
請求項６の炎感知器は、ベース部は、壁面より露見させる化粧板に、壁内に埋設する内部ボックスを備えた構造にしている。
【００１５】
請求項７の炎感知器は、集合レンズは、多面形状に形成されている
【発明の実施の形態】
以下に、本発明の実施例について、図面とともに説明する。本発明の炎感知器の第一の実施例について説明すると、図１（ａ）は、炎感知器の正面図、図１（ｂ）は壁面に取り付けた状態の断面図を示している。
【００１６】
炎感知器Ａは、これらの図に見るように、感知素子ブロック１と、これを露見させた化粧板２１に、感知素子４を収容させた内部ボックス２２を一体的に取り付けて形成されており、壁面Ｗに形成した凹所Ｗａに、内部ボックス２２を収容させ、壁面Ｗより化粧板２１のみを露見させるようにして、壁面Ｗに設置される。　ベース部２は、化粧板２１に内部ボックス２２を一体に取付けて形成されている。
【００１７】
図例のものでは、感知素子ブロック１は、同じ構造のものが、化粧板２１に対応して形成した孔部２３に嵌入されるようにして、左、右に配置されており、それぞれの感知素子ブロック１は、内部ボックス２２内に設けた支持軸などを有した支持機構（不図示）によって、上、下方向に移動調節可能になっており、調節しようとする感知素子ブロック１の前面を指で押さえるなどして移動すれば、フリクションを利用して移動した位置に固定されるようになっており、これによって、感知エリア調整機構Ｃを構成している。
【００１８】
感知素子ブロック１は、その前面全体が弓状に突出し、集光レンズ１ａを設けた部分は平坦に形成されている。また、図例のものでは、集光レンズ１ａは、その前面が１６面カットされた多角形状に形成され、１つの感知素子ブロック１で監視可能な領域を１６個の独立した小エリアに分割しているが、このような例に限定されるものではない。
【００１９】
なお、３はＬＥＤなどで構成される確認灯であり、電源投入され監視状態にあるときには点灯し、炎を検知したときには点滅して、火災を報知するようになっている。
【００２０】
このような構造のものでは、この炎感知器Ａを階段室の壁面中央付近に取り付ければ、２つの感知素子ブロック１が、図２の（ａ），（ｂ）に示したように、昇降階段の昇り側と、降り側とを独立して監視領域ア、イとして設定できるため、広範囲に監視領域が設定でき、火災早期発見に適した感知器の提供ができる。
また、壁面に壁面スイッチのように設置されるため、外観も目立たず、スマートであり、住宅内の雰囲気を乱すことなく使用でき、商品的価値も高い。
【００２１】
ついで、本発明の炎感知器の第二の実施例について説明する。
【００２２】
図３（ａ）、（ｂ）は第二の実施例に対応する壁面取り付け状態を示しており、感知器Ｂの基本構造は第一の実施例と同じであるので、この実施例の特徴である感知器エリア調整機構Ｃ’について説明する。
【００２３】
この感知器エリア調整機構Ｃ’は、化粧板２１上で感知素子ブロック１の側面に設けた調整ツマミ５と、感知素子ブロック１と、ベース部２とを組み合わせて構成されており、調整ツマミ５は、図４に示したように、ドライバーなどの治具の先端を挿入するための凹所５１を形成したツマミ本体の外周に複数の操作突起５２を放射状に形成しており、他方の感知素子ブロック１は、図５に見るように、調整ツマミ５と対向する側には操作突起５２に対応した送り溝１１を一定間隔で形成し、さらに、その反対側面には、小突起１２を形成している。小突起１２に代えて、側面には連続した小突片（不図示）を形成してもよい。
【００２４】
このような感知素子ブロック１は、ベース部２の化粧板２１に設けた調整ツマミ５と、化粧板２１側に設けたガイド部２４に形成したガイド溝２４ａによって、両側から支持されるようにして、ベース部２に取り付けられ、調整ツマミ５をドライバーなどで回動操作すれば、操作突起５２が送り溝１１内に順次嵌入するので、ベース部２に形成されたガイド溝２４ａに小突起１２を係入させて支持された、感知素子ブロック１が、図３（ｂ）で示したように、上、下方向に移動し、調整ツマミ５の回動操作を停止すれば、感知素子ブロック１は、その位置で固定される。
【００２５】
このような構造のものでは、感知素子ブロック１、調整ツマミ５、ベース部２という基本的な部品に簡単な加工を施せば容易に構成できるため、部品点数の少ない、安価で優れた商品が提供できる。
【００２６】
なお、図例では、感知素子ブロック１の送り溝１１の反対側に小突起１２を形成して、感知素子ブロック１をベース部２に支持させる構造について説明したが、感知素子ブロック１を嵌入する孔部２３側に小突起を形成し、感知素子ブロック１側にガイド溝を形成した構造にしてもよい。
【００２７】
また、以上の実施例では、感知素子ブロックはいずれも、上下に移動可能なものを説明したが、左右に移動可能なもの、上下と左右に移動可能なものを組み合わせて構成してもよい。
【００２８】
【発明の効果】
請求項１〜７に記載の本発明によれば、互いに独立して移動調整可能な感知素子ブロックを複数個設けているので、それぞれの感知素子ブロックを上下、左右に移動調整することによって、監視領域を広範囲に設定できる。
【００２９】
また、請求項４，５では、ベース部に設けた調整ツマミを回動操作するだけで、感知素子ブロックを移動調整できるので、監視領域の調整が容易である。
【００３０】
さらに、請求項６では、壁面に設置できるため、住宅内の雰囲気を損ねることなく、美観的にも優れた炎感知器を提供することができる。
【図面の簡単な説明】
【図１】（ａ）は、本発明の炎感知器の一実施例の構成図を示す正面図、（ｂ）は壁面への取付け状態を示す断面図である。
【図２】（ａ），（ｂ）は、本発明の炎感知器を階段室の壁面へ取り付けた場合に設定される監視領域を示す図である。
【図３】（ａ）は本発明の炎感知器の一実施例の構成図を示す正面図、（ｂ）は壁面への取付け状態を示す断面図である。
【図４】調整ツマミの構造を示す図である。
【図５】素子ブロックの構造を示す図である。
【図６】炎感知器を階段室の天井面に直付けした場合に設定される監視領域を示す図である。
【図７】炎感知器を取付け具を用いて壁面に取り付けた場合に設定される監視領域を示す図である。
【符号の説明】
Ａ，Ｂ・・・本発明の炎感知器
Ｃ、Ｃ’・・・感知器エリア調整機構
１・・・感知素子ブロック
１ａ・・・その前面
１１・・・送り溝
１２・・・小突起
２・・・ベース部
２１・・・化粧板
２２・・・内部ボックス
２４ａ・・・ガイド溝
３・・・確認灯
４・・・感知素子
５・・・調整ツマミ
５２・・・その操作突起
【図１】
2004117113.tif 000003
【図２】
2004117113.tif 000004
【図３】
2004117113.tif 000005
【図４】
2004117113.tif 000006
【図５】
2004117113.tif 000007
【図６】
2004117113.tif 000008
【図７】
2004117113.tif 000009